(57)【要約】本発明は、無線ネットワークにおける第１の制限のあるローカル・アクセス・ポイントにおいて、送信電力を決定する方法と、制限のあるローカル・アクセス・ポイントを実装したデバイス、無線ネットワーク及び制限のあるローカル・アクセス・ポイントにおける送信電力を決定するコンピュータプログラムに関する。制限のあるローカル・アクセス・ポイント（２６）は、ネットワーク（１０）をスキャンし、周辺のアクセスポイント（１８、２０、２２、３６、４６）が使用する報知チャネル（Ｂ１、Ｂ２、Ｂ３、Ｂ４、Ｂ５、Ｂ６）を判別し、周辺のアクセスポイントからの妨害が最少となる報知チャネル（Ｂ４、ｆ２）を選択し、このチャネルの送信電力を変更し、妨害に対する望ましい関係を達成し、主たる妨害をもたらすアクセスポイントが別の制限のあるローカル・アクセス・ポイント（４６）であるかを判断する。そうであれば、関連する量が超えることが許容されない閾値を設定し、送信電力を変更して、量が閾値を超えることのないように所望の関係を提供し、そうでなければ別のチャネルを選択する。
2009527939.tif 000002
【特許請求の範囲】
【請求項１】
無線ネットワーク（１０）における第１の限定付きローカル・アクセス・ポイントにおいて、移動局（１２）と通信するための送信電力を決定する方法であって、
周辺に位置する複数の無線アクセスポイント（１８、２０、２２、３６、４６）が使用している報知チャネル（Ｂ１、Ｂ２、Ｂ３、Ｂ５、Ｂ６）を決定するために、前記無線ネットワーク内をスキャンするステップ（ステップ６８）と、
周辺に位置する複数の無線アクセスポイントから受ける妨害が最も少ない報知チャネル（Ｂ４、ｆ２）を選択するステップ（ステップ７２）と、
前記妨害に対して所望の関係を提供するために、選択された前記報知チャネルの送信電力を変更するステップ（ステップ７４）と、
主要な妨害を与える無線アクセスポイントが他の限定付きローカル・アクセス・ポイントであるかどうかを判定するステップ（ステップ７８）と
を含み、
前記主要な妨害を与える無線アクセスポイントが前記他の限定付きローカル・アクセス・ポイントであると判定された場合、さらに、
前記所望の関係を表す複数の量のうち注目している１つの量がまたぐことを許容しないしきい値（Ｔ）を決定するステップ（ステップ８０）と、
前記１つの量が前記閾値をまたぐことなく、前記所望の関係を提供するために、前記送信電力を変更するステップ（ステップ８２）と、
前記１つの量が前記閾値をまたぐことなく、前記所望の関係を達成できない場合に、他のチャネルを選択するステップ（ステップ８６）と
を含むことを特徴とする方法。
【請求項２】
前記周辺に位置する複数の無線アクセスポイントの識別情報を登録するステップをさらに含むことを特徴とする請求項１に記載の方法。
【請求項３】
前記主要な妨害を与える無線アクセスポイントが前記他の限定付きローカル・アクセス・ポイントではないと判定された場合に、前記所望の関係を提供するために、前記送信電力を変更するステップ（ステップ７４）をさらに含むことを特徴とする請求項１または２に記載の方法。
【請求項４】
主要な妨害を与える無線アクセスポイントが他の限定付きローカル・アクセス・ポイントであるかどうかを判定する前記ステップ（ステップ７８）は、
隣接する無線アクセスポイントによって報知されている情報を解析するステップをさらに含む
ことを特徴とする請求項１ないし３のいずれか１項に記載の方法。
【請求項５】
主要な妨害を与える無線アクセスポイントが他の限定付きローカル・アクセス・ポイントであるかどうかを判定する前記ステップ（ステップ７８）は、
前記報知されている情報によって提供された、前記主要な妨害を与える無線アクセスポイントの識別情報（ＣＩ：ＢＳＩＣ）を解析するステップをさらに含む
ことを特徴とする請求項４に記載の方法。
【請求項６】
前記識別情報（ＣＩ）は、
前記主要な妨害を与える無線アクセスポイントとは異なる他の無線アクセスポイントによって報知されている識別情報である
ことを特徴とする請求項５に記載の方法。
【請求項７】
前記識別情報は、
前記主要な妨害を与える無線アクセスポイントによって報知されている識別情報である
ことを特徴とする請求項５に記載の方法。
【請求項８】
主要な妨害を与える無線アクセスポイントが他の限定付きローカル・アクセス・ポイントであるかどうかを判定する前記ステップ（ステップ７８）は、
前記主要な妨害を与える無線アクセスポイントによって報知されているシステム情報メッセージに含まれている限定付きローカル・アクセス・ポイントのインディケーションを特定するステップをさらに含む
ことを特徴とする請求項４に記載の方法。
【請求項９】
主要な妨害を与える無線アクセスポイントが他の限定付きローカル・アクセス・ポイントであるかどうかを判定する前記ステップ（ステップ７８）は、
主要な妨害を与える無線アクセスポイントが他の限定付きローカル・アクセス・ポイントであるかどうかをネットワーク制御装置（１２）に対して問い合せ、該ネットワーク制御装置から問い合せたに対する回答を受信するステップをさらに含む
ことを特徴とする請求項１ないし５のいずれか１項に記載の方法。
【請求項１０】
前記第１の限定付きローカル・アクセス・ポイントを限定付きローカル・アクセス・ポイントであると特定されることを可能ならしめる情報（ＢＳＩＣ４）を報知するステップをさらに含む
ことを特徴とする請求項１ないし９のいずれか１項に記載の方法。
【請求項１１】
前記報知チャネルは、
前記ネットワークにおける複数の限定のないグローバル・アクセス・ポイントによって使用されている複数のチャネルから最初に選択されたチャネルである
ことを特徴とする請求項１ないし１０のいずれか１項に記載の方法。
【請求項１２】
前記報知チャネルは、
前記ネットワークにおける他の複数の限定付きグローバル・アクセス・ポイントによって使用されている複数のチャネルから最初に選択されたチャネルである
ことを特徴とする請求項１ないし１０のいずれか１項に記載の方法。
【請求項１３】
前記妨害に基づいて選択された前記チャネル上で報知されているトレーニングシーケンスを変更するステップをさらに含む
ことを特徴とする請求項１ないし１２のいずれか１項に記載の方法。
【請求項１４】
無線ネットワーク（１０）に提供される限定付きローカル・アクセス・ポイントを実装したデバイス（２６）であって、
周辺に位置する複数の無線アクセスポイント（１８、２０、２２、３６、４６）が使用している報知チャネル（Ｂ１、Ｂ２、Ｂ３、Ｂ５、Ｂ６）を決定するために、前記無線ネットワーク内をスキャンし、
周辺に位置する複数の無線アクセスポイントから受ける妨害が最も少ない報知チャネル（Ｂ４、ｆ２）を選択し、
前記妨害に対して所望の関係を提供するために、選択された前記報知チャネルの送信電力を変更し、
主要な妨害を与える無線アクセスポイントが他の限定付きローカル・アクセス・ポイントであるかどうかを判定し、
前記主要な妨害を与える無線アクセスポイントが前記他の限定付きローカル・アクセス・ポイントであると判定された場合、さらに、
前記所望の関係を表す複数の量のうち注目している１つの量がまたぐことを許容しないしきい値（Ｔ）を決定し、
前記１つの量が前記閾値をまたぐことなく前記所望の関係を提供するために、前記送信電力を変更し、
前記１つの量が前記閾値をまたぐことなく前記所望の関係を達成できない場合に、他のチャネルを選択する
ように構成されていることを特徴とするデバイス。
【請求項１５】
前記周辺に位置する複数の無線アクセスポイントの識別情報を登録するように構成されていることを特徴とする請求項１４に記載のデバイス。
【請求項１６】
前記主要な妨害を与える無線アクセスポイントが前記他の限定付きローカル・アクセス・ポイントではないと判定された場合に、前記所望の関係を提供するために、前記送信電力を変更するように構成されていることを特徴とする請求項１４または１５に記載のデバイス。
【請求項１７】
前記デバイスが、主要な妨害を与える無線アクセスポイントが他の限定付きローカル・アクセス・ポイントであるかどうかを判定するように構成されており、さらに、
隣接する無線アクセスポイントによって報知されている情報（ＣＩ：ＢＳＩＣ）を解析するように構成されている
ことを特徴とする請求項１４ないし１６のいずれか１項に記載のデバイス。
【請求項１８】
前記デバイスが、主要な妨害を与える無線アクセスポイントが他の限定付きローカル・アクセス・ポイントであるかどうかを判定するように構成されており、さらに、
前記報知されている情報によって提供された、前記主要な妨害を与える無線アクセスポイントの識別情報を解析するように構成されている
ことを特徴とする請求項１７に記載のデバイス。
【請求項１９】
前記識別情報（ＣＩ）は、
前記主要な妨害を与える無線アクセスポイントとは異なる他の無線アクセスポイントによって報知されている識別情報である
ことを特徴とする請求項１８に記載のデバイス。
【請求項２０】
前記識別情報は、
前記主要な妨害を与える無線アクセスポイントによって報知されている識別情報である
ことを特徴とする請求項１８に記載のデバイス。
【請求項２１】
前記デバイスが、主要な妨害を与える無線アクセスポイントが他の限定付きローカル・アクセス・ポイントであるかどうかを判定するように構成されており、さらに、
前記主要な妨害を与える無線アクセスポイントによって報知されているシステム情報メッセージに含まれている限定付きローカル・アクセス・ポイントのインディケーションを特定するように構成されている
ことを特徴とする請求項１７に記載のデバイス。
【請求項２２】
前記デバイスが、主要な妨害を与える無線アクセスポイントが他の限定付きローカル・アクセス・ポイントであるかどうかを判定するように構成されており、さらに、
主要な妨害を与える無線アクセスポイントが他の限定付きローカル・アクセス・ポイントであるかどうかをネットワーク制御装置（１２）に対して問い合せ、該ネットワーク制御装置から問い合せたに対する回答を受信するように構成されている
ことを特徴とする請求項１４ないし１８のいずれか１項に記載のデバイス。
【請求項２３】
前記デバイスが自己を限定付きローカル・アクセス・ポイントであると特定されることを可能ならしめる情報（ＢＳＩＣ４）を報知するように構成されている
ことを特徴とする請求項１４ないし２２のいずれか１項に記載のデバイス。
【請求項２４】
前記報知チャネルは、
前記ネットワークにおける複数の限定のないグローバル・アクセス・ポイントによって使用されている複数のチャネルから最初に選択されたチャネルである
ことを特徴とする請求項１４ないし２３のいずれか１項に記載のデバイス。
【請求項２５】
前記報知チャネルは、
前記ネットワークにおける他の複数の限定付きグローバル・アクセス・ポイントによって使用されている複数のチャネルから最初に選択されたチャネルである
ことを特徴とする請求項１４ないし２３のいずれか１項に記載のデバイス。
【請求項２６】
前記妨害に基づいて選択された前記チャネル上で報知されているトレーニングシーケンスを変更するように構成されていることを特徴とする請求項１４ないし２５のいずれか１項に記載のデバイス。
【請求項２７】
無線ネットワーク（１０）であって、
複数の限定のないグローバル・アクセス・ポイント（８、２０、２２）と、
それぞれ限定付きローカル・アクセス・ポイントを実装した複数のデバイス（２６、３６、４６）と
を備え、
前記デバイス（２６）は、
周辺に位置する複数の無線アクセスポイント（１８、２０、２２、３６、４６）が使用している報知チャネル（Ｂ１、Ｂ２、Ｂ３、Ｂ５、Ｂ６）を決定するために、前記無線ネットワーク内をスキャンし、
周辺に位置する複数の無線アクセスポイントから受ける妨害が最も少ない報知チャネル（Ｂ４、ｆ２）を選択し、
前記妨害に対して所望の関係を提供するために、選択された前記報知チャネルの送信電力を変更し、
主要な妨害を与える無線アクセスポイントが他の限定付きローカル・アクセス・ポイントであるかどうかを判定し、
前記主要な妨害を与える無線アクセスポイントが前記他の限定付きローカル・アクセス・ポイントであると判定された場合、さらに、
前記所望の関係を表す複数の量のうち注目している１つの量がまたぐことを許容しないしきい値（Ｔ）を決定し、
前記１つの量が前記閾値をまたぐことなく前記所望の関係を提供するために、前記送信電力を変更し、
前記１つの量が前記閾値をまたぐことなく前記所望の関係を達成できない場合に、他のチャネルを選択する
ように構成されていることを特徴とする無線ネットワーク。
【請求項２８】
無線ネットワーク（１０）における限定付きローカル・アクセス・ポイントにおいて、移動局（１２）と通信するための送信電力を決定するためのコンピュータプログラムであって、前記限定付きローカル・アクセス・ポイントとしてデバイス（２６）を動作させるためのプログラムコードを含み、
前記プログラムコードがロードされると、前記デバイスは、
周辺に位置する複数の無線アクセスポイント（１８、２０、２２、３６、４６）が使用している報知チャネル（Ｂ１、Ｂ２、Ｂ３、Ｂ５、Ｂ６）を決定するために、前記無線ネットワーク内をスキャンし、
周辺に位置する複数の無線アクセスポイントから受ける妨害が最も少ない報知チャネル（Ｂ４、ｆ２）を選択し、
前記妨害に対して所望の関係を提供するために、選択された前記報知チャネルの送信電力を変更し、
主要な妨害を与える無線アクセスポイントが他の限定付きローカル・アクセス・ポイントであるかどうかを判定し、
前記主要な妨害を与える無線アクセスポイントが前記他の限定付きローカル・アクセス・ポイントであると判定された場合、さらに、
前記所望の関係を表す複数の量のうち注目している１つの量がまたぐことを許容しないしきい値（Ｔ）を決定し、
前記１つの量が前記閾値をまたぐことなく前記所望の関係を提供するために、前記送信電力を変更し、
前記１つの量が前記閾値をまたぐことなく前記所望の関係を達成できない場合に、他のチャネルを選択する
ように動作することを特徴とするコンピュータプログラム。
【発明の詳細な説明】
【技術分野】
【０００１】
本発明は通信分野に関する。より詳細には、本発明は無線ネットワークにおける第１の制限のあるローカル・アクセス・ポイントにおいて移動局と通信するための送信電力の決定方法、このような無線ネットワークにおいて制限のあるローカル・アクセス・ポイントを実装したデバイス、このような無線ネットワーク並びに制限のあるローカル・アクセス・ポイントにおいて移動局と通信するための送信電力を決定するためのコンピュータプログラムに関する。
【背景技術】
【０００２】
ある時期、家庭および公衆無線ネットワークの双方で同一の移動局を使用できるようにすることに関心があった。
【０００３】
このため、デュアルモード動作、即ち１つはセルラーモードおよび１つはコードレスモードを有する移動局が提案された。移動局が公衆セルラーネットワークとコードレス基地局との間を移動する場合、移動局はモードの切り替えを実行する。移動局を２つの異なるネットワークに提供するのであれば、これは有利である。
【発明の開示】
【発明が解決しようとする課題】
【０００４】
一方、これらの移動局はエンドユーザが所有する既存のセルラー電話機から交換して使用される必要があり、さらにデュアルモード動作のためエンドユーザにとって高価である。
【０００５】
それ故、ユーザが特別のデュアルモード移動局を所有することなく、家庭およびセルラーネットワーク双方において、移動局を使用できるようにすることに関心が寄せされている。即ち公衆セルラーネットワークにおける使用に適合した通常の移動局をユーザが家庭でも使用できるようにし、その際に、家庭に配置された家庭基地局により移動局を使用することに関心が寄せられている。これは、また公衆無線ネットワーク事業会社に家庭電話分野への市場を開くことになろう。また、これは、特定のアクセスポイントが無線ネットワークにおける制限のあるローカル・アクセス・ポイント形式でこの家庭基地局機能を提供しなければならないことを意味する。
【０００６】
また、ネットワークの通常のアクセスポイントは、制限のないグローバル・アクセス・ポイントと呼ぶことができ、ブロードキャスト（報知）チャネルを一般的な周波数を使用して提供する。アクセスポイントを配置する前に、チャネルを選択することっで、報知チャネルができるだけ相互に干渉しないようにする。これは所謂セル計画の一部である。セル計画には、複数の周波数またはチャネルからなる固定セットを使用して制限のないグローバル・アクセス・ポイントをできるだけ少なく使用することが望まれる。一方で、同時に異なるアクセスポイントの互いへの干渉を受容可能なレベルに制限しようとすることが望まれる。これは、非常に複雑な仕事である。一方、制限のあるローカル・アクセス・ポイントは、エンドユーザ、即ち消費者に直接提供する。これは、制限のあるローカル・アクセス・ポイントがネットワークに提供されるであろう時と場所を知ることが不可能であることを意味する。その結果、また制限のあるローカル・アクセス・ポイントを考慮したセル計画は実行することが不可能であるとは言わないまでも、非常に困難である。このような制限のあるローカル・アクセス・ポイントを無線ネットワーク内に配置すれば、制限のあるローカル・アクセス・ポイントによって周辺アクセスポイントに、例えば干渉の形式の妨害をもたらすであろうし、当然周辺アクセスポイントもまた制限のあるローカル・アクセス・ポイントを妨害するであろう。１つの他の周辺アクセスポイントがまた制限のあるローカル・アクセス・ポイントであれば、これらは相互に妨害しあうであろう。
【０００７】
そこで、本発明は、制限のあるローカル・アクセス・ポイントが相互に与える妨害を制限することを目的とする。
【０００８】
本発明の１つの目的は、無線ネットワークにおける第１の制限のあるローカル・アクセス・ポイントにおいて移動局と通信するための送信電力を決定し、制限のあるローカル・アクセス・ポイントが相互に与える妨害を制限する方法の提供することである。
【課題を解決するための手段】
【０００９】
本発明の第１の態様によれば、無線ネットワークにおける第１の制限のあるローカル・アクセス・ポイントにおいて移動局と通信するための送信電力を決定する方法により、この目的は達成される。本方法は、
周辺に位置する無線アクセスポイントが使用する報知チャネルを決定するためにネットワークを探索するステップと、
複数の報知チャネルのうち周辺に位置する無線アクセスポイントから受ける妨害が最小となる報知チャネルを選択するステップ
と、
選択した報知チャネルの送信電力を変更し、妨害に対する所望の関係を提供するステップと、
主たる妨害をもたらすアクセスポイントが別の制限のあるローカル・アクセス・ポイントであるかを判定するステップと
を含み、
主たる妨害をもたらすアクセスポイントが別の制限のあるローカル・アクセス・ポイントである場合に、
前記関係を表す複数の量のうち１つの量に対する閾値を設定するステップと（該１つの量はこの閾値を超えることは許容されない）、
前記量が前記閾値を超えることなく前記所望の関係を提供するために送信電力を変更するステップと、
前記量が前記閾値を超えることなく前記所望の関係を提供できなければ、別のチャネルを選択するステップ
をさらに実行するステップ
を含む。
【００１０】
本発明の別の目的は、無線ネットワークに提供される制限のあるローカル・アクセス・ポイントを実装し、制限のあるローカル・アクセス・ポイントが相互にもたらす妨害を制限するデバイスを提供することである。
【００１１】
本発明の第２の態様によれば、無線ネットワークに提供される制限のあるローカル・アクセス・ポイントを実装するデバイスにより、この目的が達成される。本デバイスは、
ネットワークにおいて周辺の無線アクセスポイントが使用する報知チャネルを決定するために
ネットワークを探索し、
複数の報知チャネルのうち、周辺の無線アクセスポイントから受ける妨害が最小となる報知チャネルを選択し、
選択した報知チャネルの送信電力を変更することで、妨害に対する所望の関係を提供し、
主たる妨害をもたらすアクセスポイントが別の制限のあるローカル・アクセス・ポイントであるかを判定する
ようにし、
主たる妨害をもたらすアクセスポイントが別の制限のあるローカル・アクセス・ポイントである場合に、
前記関係を表す複数の量のうち１つの量に対する閾値を設定し（該１つの量はこの閾値を超えることは許容されない）、
前記量が前記閾値を超えることなく前記所望の関係を提供するために送信電力を変更し、
前記量が前記閾値を超えることなく前記所望の関係を提供できなければ、別のチャネルを選択する
ようにする。
【００１２】
本発明の別の目的は、制限のあるローカル・アクセス・ポイントが相互にもたらす妨害を制限する無線ネットワークを提供することである。
【００１３】
本発明の第３の態様によれば、この目的はまた無線ネットワークにより達成される。本無線ネットワークは、
幾つかの制限のないグローバル・アクセス・ポイント、および
幾つかのデバイスを含み、各デバイスは制限のあるローカル・アクセス・ポイントを実装し、制限のあるローカル・アクセス・ポイントを実装するデバイスは、
ネットワークにおいて周辺の無線アクセスポイントが使用する報知チャネルを決定するためにネットワークを探索し、
複数の報知チャネルのうち周辺のアクセスポイントから受ける妨害が最小となる報知チャネルを選択し、
選択した報知チャネルの送信電力を変更することで、妨害に対する所望の関係を提供し、
主たる妨害をもたらすアクセスポイントが別の制限のあるローカル・アクセス・ポイントであるかを判定し、
主たる妨害をもたらすアクセスポイントが別の制限のあるローカル・アクセス・ポイントである場合に、
前記関係を表す複数の量のうち１つの量に対する閾値を設定し（該１つの量はこの閾値を超えることは許容されない）、
前記量が前記閾値を超えることなく前記所望の関係を提供するために送信電力を変更し、
前記量が前記閾値を超えることなく前記所望の関係を提供できなければ、別のチャネルを選択する
ようにする。
【００１４】
本発明のなお別の目的は、制限のあるローカル・アクセス・ポイントが相互にもたらす妨害を制限するコンピュータプログラムを提供することである。
【００１５】
本発明の第４の態様によれば、無線ネットワークにおける制限のあるローカル・アクセス・ポイントにおおいて移動局と通信するための送信電力を決定するコンピュータプログラムにより、この目的はまた達成される。本コンピュータプログラムは、前記デバイスにコードをロードすることで、このような制限のあるローカル・アクセス・ポイントが実装される。本コンピュータプログラムは、
ネットワークにおいて周辺の無線アクセスポイントが使用する報知チャネルを決定するためにネットワークを探索し、
複数の報知チャネルのうち周辺のアクセスポイントから受ける妨害が最小となる報知チャネルを選択し、
選択した報知チャネルの送信電力を変更することで、妨害に対する所望の関係を提供し、
主たる妨害をもたらすアクセスポイントが別の制限のあるローカル・アクセス・ポイントであるかを判定し、
主たる妨害をもたらすアクセスポイントが別の制限のあるローカル・アクセス・ポイントである場合に、
前記関係を表す複数の量のうち１つの量に対する閾値を設定し（該１つの量はこの閾値を超えることは許容されない）、
前記量が前記閾値を超えることなく前記所望の関係を提供するために送信電力を変更し、
前記量が前記閾値を超えることなく前記所望の関係を提供できなければ、別のチャネルを選択する
ようにするコンピュータプログラムコードを含む。
【発明を実施するための最良の形態】
【００１６】
本明細書では、制限のないグローバル・アクセス・ポイントは、ネットワークに配置さされたときに、ネットワークの全ての移動局が本質的に同じ条件で通信することを可能にするアクセスポイントとして定義される。一方で、制限のあるローカル・アクセス・ポイントは、ネットワーク内の一定限の移動局からなる移動局セットに関連した処理ルール（規則）からなる個別の規則セットを有し、これらの移動局が特定の制限のあるローカル・アクセス・ポイントと通信することを可能にすることを主として意図されたアクセスポイントとして定義される。あるいは、制限のあるローカル・アクセス・ポイントをより小さな送信電力で送信を実行するという意味でのみ限定することができる。従って制限のあるローカル・アクセス・ポイントは、接近した領域に限定してサービスエリアを形成することになる。
【００１７】
本発明は多くの利点を有する。本発明は制限のあるローカル・アクセス・ポイントのユーザに最良のサービス品質を提供する。一方で、同時に柔軟な方法でトータルでのシステム干渉を減少させる。さらに、複数の制限のあるローカル・アクセス・ポイントが送信電力の変更を繰り返し実行することを停止させることで、システム干渉を削減することを保証する。従って、本発明はサービス品質を維持しつつ、周辺に位置するアクセスポイントへの不要な干渉を緩和する。
【００１８】
本明細書で使用する場合、用語「含む／含んでいる」は記述する特徴、整数、ステップまたは構成要素の存在を指定すると取れるが、１つまたは複数の他の特徴、整数、ステップ、構成要素またはそのグループの存在または追加を排除しないことを十分に理解すべきである。
【００１９】
次に、本発明を添付する図面に関してさらに詳細に記述することにする。
【００２０】
以下の記述では、説明のためであって、限定するためではなく、特定の構成、インタフェース、技術、などの特定の形態を明らかにし、本発明の完全な理解に資する。一方、本発明をこれらの特定の形態から離れる他の実施形態において実行することができることは当業者には明らかであろう。その他の場合、良く知られるデバイス、回路および方法の詳細な記述を省略し、不要な詳細により本発明の記述を不明瞭にしないようにする。
【００２１】
本明細書では、図１に示すＧＳＭ（移動通信のためのグローバルシステム）ネットワーク１０である、公衆地上移動ネットワーク形式の無線ネットワークに関する非限定的背景において本発明を記述する。ここで、ネットワークは決してＧＳＭに限ることはなく、ＧＰＲＳ（General Packet Radio Service、汎用パケット無線サービス）、ＵＭＴＳ（Universal Mobile Telecommunications System、汎用移動通信システム）のような任意のタイプの公衆地上移動ネットワークでありうることを理解すべきである。また、ネットワークは例えばＷＬＡＮ（Wireless Local Area Network、無線ローカルエリヤネットワーク）技術に基づいて構築されてもよい。ネットワーク１０は、少なくとも１つの第１のトラフィック制御ユニット１２を含む。これは、ＧＳＭの場合、ＭＳＣ（Mobile Services Switching Centre、移動サービス交換センタ）である。ネットワークが、ＧＰＲＳネットワークであるとすれば、第１のトラフィック制御ユニット１２は、ＳＧＳＮ（Serving GPRS Support Node、サービス提供ＧＰＲＳサポートノード）であろう。第１のトラフィック制御ユニット１２は、さらにＢＳＣ（Base Station Controller、基地局コントローラ）形式の第２のトラフィック制御ユニット１３を経て基地局形式の第１、第２および第３の制限のないグローバル・アクセス・ポイント１８、２０および２２に接続する。ＧＰＲＳとＧＳＭネットワークを接続することも可能である。この場合、第２のトラフィック制御ユニット１３は、ＭＳＣおよびＳＧＳＮ双方に接続するであろう。基地局１８、２０および２２は、正規の基地局であり、正規の基地局をネットワーク１０において通信することができる任意の移動局が通信に使用することができる。ネットワーク１０は、顧客サービスを処理する、運用および保守サービスセンタ１６を含む。このサービスセンタ１６は、トラフィック制御ユニット１２、１３の双方に接続する。サービスセンタ１６は、制限のないグローバル・アクセス・ポイント（図示せず）に接続することができる。サービスセンタ１６および第１のトラフィック制御ユニット１２は、共にここではインターネットである外部通信ネットワーク１７に接続する。第１のトラフィック制御ユニット１２は幾つかの第２のトラフィック制御ユニット１３に接続することができ、無線ネットワーク１０にさらに幾つかの第１のトラフィック制御ユニット１２が存在し、１つまたは複数のアクセスポイントを経る移動局との通信を制御することができることを了解するべきである。また、ネットワーク１０は中央トラフィック制御ユニットを全く装備する必要がないことを理解すべきである。これまで記述したことは当技術分野内では良く知られている。
【００２２】
図１に、また３つの異なる建築物２４、３４および４４を示している。ここで第１の建築物２４はモデム２８に接続した第１の制限のあるローカル・アクセス・ポイント２６を含む。モデム２８は外部ネットワーク１７、並びに第１の建築物に設けられたコンピュータ３０に接続する。第１の制限のあるローカル・アクセス・ポイント２６と通信する第１のユーザ移動局３２が配置されている。第１のユーザ移動局３２はここでは第１の制限のあるローカル・アクセス・ポイント２６と接続して動作する。第２の建築物３４はモデム３８に接続する第２の制限のあるローカル・アクセス・ポイント３６を含み、モデム３８は次いで外部ネットワーク１７に接続する。ここで、コンピュータ４０はモデム３８に接続するために第２の制限のあるローカル・アクセス・ポイント３６に接続する。この理由は、このモデムが他の１つのデバイスのみを接続することができるタイプのモデムだからである。この第２の建築物３４には、第２の制限のあるローカル・アクセス・ポイント３６と接続して動作する第２のユーザ移動局４２がある。最後に、第３の建築物４４はモデム４８に接続した第３の制限のあるローカル・アクセス・ポイント４６を含む。モデム４８は外部ネットワーク１７、並びに第３の建築物４４に配置されたコンピュータ５０に接続している。最後に、第３の制限のあるローカル・アクセス・ポイント４６と通信する第３のユーザ移動局５２が配置されており、ここで第３のユーザ移動局５２は第３の制限のあるローカル・アクセス・ポイント４６と接続して動作する移動局である。
【００２３】
第１、第２および第３のユーザ移動局３２、４２、５２のための制限のあるローカル・アクセス・ポイント２６、３６および４６は、ネットワーク１０内においてアクセスポイントとして動作し、第１のトラフィック制御ユニット１２が制御する。外部ネットワーク１７は、ネットワーク１０と制限のあるローカル・アクセス・ポイントとの間のこの通信および制御の提供に使用されるただのチャネル（通信路）である。外部ネットワーク１７は、例えばサービスセンタ１６に対してその他のタイプの通信を提供することができる。インターネットを使用する理由は、多くの家庭がインターネットへのアクセスが容易であるからである。このため、外部ネットワークは家庭に提供される任意のネットワークであってよい。例えば、ケーブルＴＶネットワークであってもよいことは明らかである。家庭がＬＡＮネットワークに直接アクセスする場合には、モデムは必要ではないであろう。従って、この通信チャネルを提供することができる幾つかの方法が存在する。
【００２４】
この様に制限のあるローカル・アクセス・ポイントを配備する目的は、ネットワーク１０の事業者が、自己のネットワーク内で、ホームベースステーション（家庭基地局）を擬似的に実現することである。これにより、エンドユーザは、この制限のあるアクセスポイントを経由して、自己の通常の移動局を使用することができる。制限のあるローカル・アクセス・ポイントと接続を確立できない、または接続が不十分である場合は、いつでも、ユーザは、自動的に公衆無線ネットワーク１０により移動局を使用可能となる。この様に、例えばエンドユーザのための固定地上回線ネットワークによる接続は削除することが可能である。その場合、事業者はネットワークに設けられた制限のあるローカル・アクセス・ポイントを経ておよび制限のないグローバル・アクセス・ポイントを経て確立された呼に対して異なる請求体系を提供することができる。移動局のユーザにとって、移動局は建築物内にある場合はコードレス電話として機能し、建築物外では通常の移動局として機能することになる。さらに、エンドユーザは幾つかの異なる複数の電話番号を記憶する必要はない。一方、制限のあるローカル・アクセス・ポイントについては、ネットワーク事業者が管理するものとする。経済性を提供するためには、このような制限のあるローカル・アクセス・ポイントを低価格で提供することが望ましいことが多いからである。これは、通常のクセスポイントと比較すると、制限のあるローカル・アクセス・ポイントは、一般に送信電力が遥かに小さく、微弱であり、より少ないトラフィックチャネルしか提供できないことを意味する。通常のクセスポイントは、制限のあるローカル・アクセス・ポイントを傘のようにカバーすることができる。従って、制限のあるローカル・アクセス・ポイントがサービス範囲とすると考えられるエリアでは、通常のアクセスポイントは制限のあるローカル・アクセス・ポイントより遥かに強力でありうる。
【００２５】
図２は、第１の制限のあるローカル・アクセス・ポイント２６を実装するデバイスと、第１の制限のあるローカル・アクセス・ポイント２６が第１の建築物において通信する異なる他のデバイスとについて、関係する複数のユニットを示したブロック図である。その他の制限のあるローカル・アクセス・ポイントも同様に提供しうる。このデバイス２６は第１のユーザ移動局３２と通信するアンテナ５８を含む。このアンテナ５８は無線回路６０に接続されている。無線回路６０は、特別の様式で動作するように構成された、通常の移動局のチップセット形式で提供することができる。無線回路６０は制御ユニット６２および回線交換音声をパケットベース音声に変換する信号変換ユニット６４に接続されている。信号変換ユニット６４は、ＵＭＡ／ＧＡＮ（Unlicensed Mobile Access/Generic Access Network、非認可移動アクセス／汎用アクセスネットワーク）を使用することができる。ＵＭＡ／ＧＡＮは８０２．１１（即ちブルートゥース）を経由したＧＳＭ呼を形成する場合の規格である。ブルートゥースではＧＳＭプロトコルは非認可帯域をトンネルする。制御ユニット６２および信号変換ユニット６４の双方はインタフェース６６に接続しており、インタフェース６６はモデム２８に接続されている。制御ユニット６２はさらにアクセスポイント識別情報記憶装置５４に接続している。
【００２６】
上述したように、制限のあるローカル・アクセス・ポイントは、その他のアクセスポイントより遥かに微弱である。周辺に位置する複数のアクセスポイントを監視し、複数ある報知チャネルのうち、受けている妨害が最も少ない報知チャネルを選択することによりこれを実現できる。本発明により、以後情報を報知する場合、報知チャネルの送信電力を増強することにより干渉の影響を緩和できる。これはネットワークに存在する制限のないグローバル・アクセス・ポイントに限定的な影響を与えるにすぎない。一方、これは注目している制限のあるローカル・アクセス・ポイントの近傍に存在するその他の制限のあるローカル・アクセス・ポイントに大きな影響を与えるかもしれない。このような制限のあるローカル・アクセス・ポイントが２台あり、これらが相互に妨害しあうようなケースでは、報知チャネルの送信電力を増強することによってのみ妨害に対処してしまうと、システム干渉が増加してしまう。これは、良好な性能を何ら提供することなく、さらに不必要にエネルギを浪費する。
【００２７】
本発明はこの問題の解決を指向する。
【００２８】
次に、図３、図４を参照しながら、本発明の原理について説明する。図３には、ネットワークにおいて異なる複数のアクセスポイントから送信される報知チャネルと、報知の際に提供されるネットワーク識別情報とを示している。図４は、制限のあるローカル・アクセス・ポイントによって実行される、本発明に係る方法を示したフローチャートである。
【００２９】
ここでは、一例として、第１の制限のあるローカル・アクセス・ポイント２６を最初に使用される制限のあるローカル・アクセス・ポイントとする。制御ユニット６２は、ステップ６８において、無線通信ユニット６０にネットワーク１０をスキャン（探索）するように指令する。これは、ネットワークにおいて周辺に存在する複数の無線アクセスポイントＡＰが送信する報知チャネルを判別して決定するためである。より詳細にはＧＳＭが関係する場合、これらのアクセスポイントＡＰの周波数を判別する。スキャンを実行することで、無線通信ユニット６０は、制限のないグローバル・アクセス・ポイントおよび制限のあるローカル・アクセス・ポイントの双方を検出することができる。従って無線通信ユニット６０は、第１の周波数ｆ１において、報知チャネルＢ１上で、アクセスポイント識別情報ＢＳＩＣ１（Base Station Identity Code、基地局特定コード）を含む情報を報知している第１の制限のないグローバル・アクセス・ポイント１８を検出し、第２の周波数ｆ２において、報知チャネルＢ２上でアクセスポイント識別情報ＢＳＩＣ２を含む情報を報知している第２の制限のないグローバル・アクセス・ポイント２０を検出し、第３の周波数ｆ３において、報知チャネルＢ３上でアクセスポイント識別情報ＢＳＩＣ３を含む情報を報知している第３の制限のないグローバル・アクセス・ポイント２２を検出し、また第１の周波数ｆ１において、報知チャネルＢ５上で、アクセスポイント識別情報ＢＳＩＣ５を含む情報を報知している第２の制限のあるグローバル・アクセス・ポイント３６を検出し、第２の周波数ｆ２において、報知チャネルＢ６上でアクセスポイント識別情報ＢＳＩＣ６を含む情報を報知する第３の制限のあるグローバル・アクセス・ポイント４６を検出することができる。検出結果は、無線通信ユニット６０から制御ユニット６２に供給される。制御ユニット６２は、検出された識別情報ＢＳＩＣを対応する周波数と共に識別情報記憶装置５４に記憶または登録する。次いで、ステップ７０で、制御ユニット６２は利用可能な周波数、即ち制御ユニット６２が報知チャネルに使用することができるすべての周波数について受けている妨害を判定する。制御ユニット６２は、無線通信ユニット６０に帯して、使用する種々の周波数における干渉測定の実行を指令し、測定された干渉を公称の送信電力値に関係付けて、Ｃ／Ｉ（signal over interference、干渉に対する信号）比を算出する。その後、ステップ７２で、制御ユニット６２は、最大Ｃ／Ｉ比を有する周波数、すなわち妨害が最少の周波数を選択する。ステップ７４で、制御ユニット６２は、移動局が望ましいＣ／Ｉ値を経験できるよう、使用する送信電力レベルを変更または設定する。典型的に、この値は約＋１２ｄＢの比でありうる。その後、制御ユニット６２は、無線通信ユニット６０に新しく設定した電力レベルにより、選択した周波数における報知を指令する。本例では、第１の制限のあるローカル・アクセス・ポイント２６は、第２の周波数ｆ２が最良であると決定し、この周波数において自己を表すアクセスポイント識別情報ＢＳＩＣ４を含む情報を報知する。
【００３０】
ステップ７６で、第１の制限のあるグローバル・アクセス・ポイント２６は、この電力レベルの使用を継続する一方、同時に選択した周波数のＣ／Ｉ比の監視を続ける。次いで比が悪化すれば、ステップ７８で、第１の制限のあるグローバル・アクセス・ポイント２６は、動作を継続し、比を悪化させる妨害の主原因が別の制限のあるローカル・アクセス・ポイントによるか、または通常の制限のないグローバル・アクセス・ポイントによるかを判定する。これはアクセスポイント識別情報記憶装置５４で行った登録内容を参照することで実行することができる。妨害が制限のないグローバル・アクセス・ポイントに起因していると判定した場合、ステップ７４に戻り、制御ユニット６２は、無線通信ユニット６０に対して送信電力レベルを変更して望ましいＣ／Ｉ比を達成するよう指令する。典型的に、送信電力レベルは約２ｄＢの刻みで増加させる。ステップ７８において、妨害が別の制限のあるローカル・アクセス・ポイントに起因していると判定した場合、ステップ８０に進み、制御ユニット６２は、超えることが許容されない送信電力閾値Ｔを設定する。ステップ８２で、制御ユニット６２は、送信電力を再び変更し、望ましい比を達成する。ステップ８４で、制御ユニット６２は、送信電力レベルを閾値Ｔと比較する。閾値を超えていなければ、ステップ８８に進み、比が悪化しない限り、第１の制限のあるグローバル・アクセス・ポイント２６は、設定した電力レベルでもって同じ周波数において報知を継続する。一方、ステップ８８において、比が悪化したとすれば、ステップ８２に戻り、送信電力を再び変更する。さらに、ステップ８４において、閾値を超えたとすれば、再度探索を行う。閾値Ｔを超えれば、何時でも、制御ユニット６２は、その周波数が適切な周波数でないと判定する。本例では、第３の制限のあるグローバル・アクセス・ポイント４６は、周波数ｆ２を使用し、また第１の制限のあるグローバル・アクセス・ポイント２６と同じように送信電力を変更することができる。従って、この変更は第１の制限のあるグローバル・アクセス・ポイント２６に対する干渉に影響を与える。よって、送信電力は結局閾値を上回ることになる。それ故、制御ユニット６２は、最良の周波数を使用していないと判定し、ステップ８６で、別の周波数を選択する。本例では、制御ユニット６２は、例えば、代わりに第３の周波数ｆ３を選択することができる。その後、ステップ７４で、制御ユニット６２は、無線通信ユニット６０に送信電力の変更を指令して望ましい比を達成し、この新しい周波数において報知を実行する。
【００３１】
以上に概説した本方法は以下の利点を有する。本方法は制限のあるローカル・アクセス・ポイントのユーザに最良のサービス品質を提供する一方、同時に柔軟にトータルでのシステム干渉を緩和する。さらに、複数の制限のあるローカル・アクセス・ポイントにより繰り返される送信電力の変更を抑制し、システム干渉が削減されることを保証する。この様に、本発明はサービス品質を維持する一方で、周辺アクセスポイントへの不必要な干渉を抑制する。
【００３２】
妨害の主原因が別の制限のあるローカル・アクセス・ポイントであるかを第１の制限のあるアクセスポイントが判断できるようにするための方法が幾つかある。次に図５を参照して、１つの方法を記述することにする。図５は、本発明の一変形例による通常のアクセスポイントおよび制限のあるローカル・アクセス・ポイントの識別情報であるＣＩ（cell identities、セル識別情報）に使用する種々の番号付けの範囲を示したテーブルを示す図である。別のアクセスポイントが制限のあるローカル・アクセス・ポイントであるかどうかの分析は、他のアクセスポイントに関連する識別情報および他のアクセスポイントのＣＧＩ（Cell Global Identity、セルグローバル識別情報）の少なくとも一部を分析することにより実行することができる。ＣＧＩは構成上幾つかの異なる構成部、ＭＣＣ（Mobile Country Code、移動国コード）−ＭＮＣ（Mobile Network Code、移動ネットワークコード）−ＬＡＣ（Location Area Code、位置エリアコード）−ＣＩを含む。ＣＩは、例えば、１から６５、５３５までの範囲に亘りうる。本発明のこの変形により、この一部である４０、０００から６５、５３５までの範囲に、制限のあるローカル・アクセス・ポイントのＣＩを割り当てる。これは、一度、第１の制限のあるローカル・アクセス・ポイントがある周波数のＣＧＩを特定したとすると、そのＣＩが提供されている範囲を調査することにより、第１の制限のあるローカル・アクセス・ポイントは、他のアクセスポイントが制限のあるローカル・アクセス・ポイントであることを直接的に判断することができることを意味する。また、ＣＧＩのその他の部分を同様に使用してもよい。制限のあるローカル・アクセス・ポイントの特定は、ＭＣＣにＭＮＣを加算することによって得られる位置エリアＬＡＣまたはネットワーク識別情報に基づいて、実行されてもよい。
【００３３】
上述のごとく、ＣＩは、ＢＣＣＨ報知チャネルにおいて報知されているアクセスポイントの固有のグローバル識別情報であるＣＧＩ（セルグローバル識別情報）の一部として、含まれている。あるＣＧＩを有するアクセスポイントの場合、隣接アクセスポイントが、ＢＳＩＣ識別情報および報知周波数の情報を共に報知する。これは以下のことを意味する。すなわち、第１の制限のあるローカル・アクセス・ポイント２６は、複数のＣＧＩ、複数のＢＳＩＣの形式をしたデータと隣接セル１８の報知周波数に関する情報とを送信する第１の制限のないグローバル・アクセス・ポイントのＢＣＣＨ報知チャネルに対して同調し、第３の制限のあるローカル・アクセス・ポイント４６のＢＳＩＣおよび報知周波数を第１の制限のないグローバル・アクセス・ポイントにより送信されたデータと比較する。これにより、第１の制限のあるローカル・アクセス・ポイント２６は、例えば第３の制限のあるローカル・アクセス・ポイント４６が実際に別の制限のあるローカル・アクセス・ポイントであることを、認識することができる。
【００３４】
ＳＣＨ（Synchronization Channel、同期チャネル）報知チャネルにおいて第３の制限のあるローカル・アクセス・ポイントが報知するＢＳＩＣを直接使用することがさらに可能である。ＢＳＩＣは、ＮＣＣ（Network Colour Code、ネットワーク色コード）およびＢＣＣ（Base Station Colour Code、基地局色コード）といった２つの異なるコードを含んでいる。ＮＣＣは、通常、通信監督官を行う行政庁により交付されるコードである。本発明により、これらのコードのうち１つ以上の値を予め設定することで、アクセスポイントが制限のあるローカル・アクセス・ポイントであることを示すことができる。この様に、ＮＣＣまたはＢＣＣのいずれかを参照することにより、隣接アクセスポイントが制限のあるローカル・アクセス・ポイントであることを、第１の制限のあるローカル・アクセス・ポイントは認識することができる。アクセスポイントが報知するトレーニングシーケンスコードを探索することも可能であり、これによってもＮＣＣおよびＢＣＣコードを発見することができる。さらに別の代替法は、制限のないグローバル・アクセス・ポイントおよび制限のあるローカル・アクセス・ポイントに異なる報知周波数を使用することである。この場合、周波数は直接制限のあるローカル・アクセス・ポイントの存在を示すことになる。さらに、全ての制限のあるローカル・アクセス・ポイントが報知チャネルにおいて送信するシステム情報メッセージに制限のあるローカル・アクセス・ポイントインディケーション（表示）フィールドを加えることが可能である。従って、第１の制限のあるローカル・アクセス・ポイントは、この報知情報を検出し、周波数を別の制限のあるローカル・アクセス・ポイントが使用することの設定をアクセスポイント識別情報記憶装置において行うことができる。別の代替方法として、ＣＧＩまたはＣＩが制限のあるローカル・アクセス・ポイントと関連するかについて第１の制限のあるローカル・アクセス・ポイントが図１の第２のトラフィック制御ユニットなどのネットワークエンティティに問い合わせ、これにトラフィック制御ユニットが、はいまたはいいえで応えることも可能である。この全てに共通するのは制御ユニットがアクセスポイントの報知する情報を分析し、主たる妨害をもたらすアクセスポイントが制限のあるローカル・アクセス・ポイントに起因するか否かを判断することである。
【００３５】
以上に概説した本方法を、アクセスポイントが報知するトレーニングシーケンスコードにおいて適用することができ、干渉するアクセスポイントが同じトレーニングシーケンスを使用していれば、トレーニングシーケンスコードを変更する。
【００３６】
本発明により、制限のあるローカル・アクセス・ポイントは通常の制限のないグローバル・アクセス・ポイントが使用する周波数、または主として他の制限のあるローカル・アクセス・ポイントが使用する周波数を主として選択することができる。
【００３７】
本発明による制御ユニットをその機能を実行するコンピュータプログラムコードを含むメモリユニットと共に１つまたは複数のプロセッサにより実装することができる。さらに、無線通信ユニットと制御ユニットとを１つのかつ同じユニットに統合することもできる。上述したプログラムコードは、また例えばＣＤＲＯＭディスクなどのデータ記録媒体の形式をしたコンピュータプログラム製品としてまたはサーバからダウンロード可能なプログラムコードとして提供されてもよい。
【００３８】
本発明に関して実行可能な幾つかの変形がある。妨害は干渉に限らない。妨害はまた例えば熱雑音のようなその他のタイプであってもよい。閾値は、さらに送信電力と関連して設定した。また、代わりに閾値を妨害と関連して設定してもよい。さらに、妨害を多くの方法で測定することができる。ここで、低い測定値は、妨害が多いかまたは少ないかのいずれかを示すことができる。これは、送信電力と妨害との間の関係を比として提供する必要がないことを意味する。送信電力と妨害との間の関係は、例えば、積として提供することができる。それ故、閾値を超えてはならないが、妨害の測定方法に応じて、閾値を超えることになる方向はあらゆる方向にすることができる。
【００３９】
最も実際的であり、好ましい実施形態と現在考えられるものと関連して本発明を記述したが、本発明は開示した実施形態に限定されることはなく、逆に種々の修正および均等な装置を含むと考えられる。それ故、本発明は特許請求の範囲によってのみ限定される。
【図面の簡単な説明】
【００４０】
【図１】３つの制限のないグローバル・アクセス・ポイントおよび各制限のあるローカル・アクセス・ポイントを屋内に配備する３つのローカル・アクセス・ポイント、並びに幾つかの関係するネットワークエンティティを含む無線ネットワークを概略的に示す図である。
【図２】制限のあるローカル・アクセス・ポイントの種々のユニットによるブロック概要を示す図である。
【図３】ネットワークにおけるアクセスポイントの報知チャネル並びに報知する場合に提供するネットワーク識別情報を概略的に概説する図である。
【図４】本発明による制限のあるローカル・アクセス・ポイントにおいて実行する幾つかの方法のステップのフローチャートを示す図である。
【図５】本発明の一変形による正規のアクセスポイントおよび制限のあるローカル・アクセス・ポイントのネットワークの識別情報に使用する種々の番号付けの範囲を指示するテーブルを示す図である。
【図１】
2009527939.tif 000003
【図２】
2009527939.tif 000004
【図３】
2009527939.tif 000005
【図４】
2009527939.tif 000006
【図５】
2009527939.tif 000007
【国際調査報告】
2009527939.tif 000008
2009527939.tif 000009
2009527939.tif 000010